(57)【要約】【課題】壁面の上部領域への配光を良好にしつつ、壁面の下部領域への光の拡がりが小さくなり過ぎることを抑制できる照明器具を提供する。【解決手段】照明器具１は、光源５と、反射部７と、内部反射部２１とを備える。反射部７は、光を反射する内面２８を有する。内部反射部２１は、反射部７の内部に設置され、光を反射する。内部反射部２１は、反射部７の内部空間に向かって凸状に湾曲する。反射部７は、光を出射する第１出射開口部２７を含む。第１出射開口部２７は、開口２７ａと、開口縁２７ｂとを有する。内部反射部２１は、第１出射開口部２７の開口縁２７ｂに隣接する。【選択図】図２
2018170096.tif 000002
【特許請求の範囲】
【請求項１】
光源と、
光を反射する内面を有する反射部と、
前記反射部の内部に設置され、光を反射する内部反射部と
を備え、
前記内部反射部は、前記反射部の内部空間に向かって凸状に湾曲する、照明器具。
【請求項２】
前記反射部は、光を出射する第１出射開口部を含み、
前記第１出射開口部は、開口と、開口縁とを有し、
前記内部反射部は、前記第１出射開口部の前記開口縁に隣接する、請求項１に記載の照明器具。
【請求項３】
前記反射部の前記内面は、第１領域と、前記内部反射部に対向する第２領域とを有し、
前記第２領域の光反射率は、前記第１領域の光反射率よりも大きい、請求項１又は請求項２に記載の照明器具。
【請求項４】
前記反射部は、光を反射する第１反射部を含み、
前記第１反射部は、光を出射する第１出射開口部を含み、
前記第１出射開口部は、開口を有し、
前記第１出射開口部の前記開口の中心の位置は、前記開口での前記光源の光軸の位置と異なる、請求項１に記載の照明器具。
【請求項５】
前記反射部は、光を反射する第２反射部を含み、
前記第２反射部は、
光を入射する第２入射開口部と、
光を出射する第２出射開口部と
を含み、
前記第２出射開口部は、前記第２入射開口部に対して傾斜している、請求項１から請求項４のいずれか１項に記載の照明器具。
【請求項６】
前記第２出射開口部に対応して設置され、光を屈折させる光学素子をさらに備える、請求項５に記載の照明器具。
【発明の詳細な説明】
【技術分野】
【０００１】
本発明は、照明器具に関する。
【背景技術】
【０００２】
特許文献１に記載された照明器具は、ウォールウォッシャーダウンライトであり、天井に設置される。照明器具は、面状光源と、半割円筒形状を有するリフレクターとを備える。面状光源の中心を通る光軸が照明器具の中心軸に合うように、面状光源が照明器具に固定されている。
【０００３】
リフレクターは壁面向け反射面を有する。壁面向け反射面は、光源からの光を壁面に向けて反射する。壁面向け反射面は、機能別に上下に３つに分けられていて、下から順に、第１反射面（以下、「下端反射面」と記載する。）、第２反射面、及び第３反射面を有する。特に、下端反射面は、天井面と平行な方向に光を反射する。従って、壁面の上部（入り隅を含む。）への配光を良好にできる。
【先行技術文献】
【特許文献】
【０００４】
【特許文献１】特開２０１６−５１５２８号公報
【発明の概要】
【発明が解決しようとする課題】
【０００５】
しかしながら、特許文献１に記載された照明器具では、下端反射面は、光源から離れる程、縮径している。加えて、下端反射面の下端縁が光軸に近づくように、下端反射面が湾曲している。更に加えて、下端反射面は、断面視において、光軸から離れるように凹状に湾曲している湾曲面である。
【０００６】
従って、例えば、照明器具が壁面の近傍に設置されると、下端反射面が反射した光が、壁面のうち、天井に近接した領域に集中し易い。つまり、光が集中して最も明るい部分が、壁面のうち、天井に近接した領域に発生する。
【０００７】
従って、壁面のうちの上部領域と下部領域とのうち下部領域での光の照度が特に不足する。つまり、壁面の下部領域への光の拡がりが小さくなり過ぎて、壁面の下部領域への配光を良好にできない。
【０００８】
本発明は上記課題に鑑みてなされたものであり、その目的は、壁面の上部領域への配光を良好にしつつ、壁面の下部領域への光の拡がりが小さくなり過ぎることを抑制できる照明器具を提供することにある。
【課題を解決するための手段】
【０００９】
本願に開示する照明器具は、光源と、反射部と、内部反射部とを備える。反射部は、光を反射する内面を有する。内部反射部は、前記反射部の内部に設置され、光を反射する。前記内部反射部は、前記反射部の内部空間に向かって凸状に湾曲する。
【００１０】
本願に開示する照明器具において、前記反射部は、光を出射する第１出射開口部を含むことが好ましい。前記第１出射開口部は、開口と、開口縁とを有することが好ましい。前記内部反射部は、前記第１出射開口部の前記開口縁に隣接することが好ましい。
【００１１】
本願に開示する照明器具において、前記反射部の前記内面は、第１領域と、前記内部反射部に対向する第２領域とを有することが好ましい。前記第２領域の光反射率は、前記第１領域の光反射率よりも大きいことが好ましい。
【００１２】
本願に開示する照明器具において、前記反射部は、光を反射する第１反射部を含むことが好ましい。前記第１反射部は、光を出射する第１出射開口部を含むことが好ましい。前記第１出射開口部は、開口を有することが好ましい。前記第１出射開口部の前記開口の中心の位置は、前記開口での前記光源の光軸の位置と異なることが好ましい。
【００１３】
本願に開示する照明器具において、前記反射部は、光を反射する第２反射部を含むことが好ましい。前記第２反射部は、光を入射する第２入射開口部と、光を出射する第２出射開口部とを含むことが好ましい。前記第２出射開口部は、前記第２入射開口部に対して傾斜していることが好ましい。
【００１４】
本願に開示する照明器具は、光学素子をさらに備えることが好ましい。光学素子は、前記第２出射開口部に対応して設置され、光を屈折させることが好ましい。
【発明の効果】
【００１５】
本発明によれば、壁面の上部領域への配光を良好にしつつ、壁面の下部領域への光の拡がりが小さくなり過ぎることを抑制できる。
【図面の簡単な説明】
【００１６】
【図１】本発明の実施形態に係る照明器具を示す側面図である。
【図２】実施形態に係る照明器具を示す側面断面図である。
【図３】実施形態に係る照明器具を見上げたときの照明器具を示す斜視図である。
【図４】実施形態に係る照明器具を示す分解斜視図である。
【図５】実施形態に係る照明器具が設置されている室内を示す側面断面図である。
【図６】（ａ）は、実施形態に係る内部反射部を示す斜視図である。（ｂ）は、実施形態に係る内部反射部を示す平面図である。（ｃ）は、実施形態に係る内部反射部を示す正面図である。
【図７】（ａ）は、実施形態に係る第１反射部を示す側面図である。（ｂ）は、実施形態に係る照明器具を示す底面図である。
【図８】実施形態に係る照明器具を示す底面図である。
【図９】（ａ）は、実施形態に係る第１反射部を示す側面図である。（ｂ）は、実施形態の変形例に係る第１反射部を示す側面図である。
【図１０】（ａ）は、実施形態に係る光学素子を示す斜視図である。（ｂ）は、実施形態に係る光学素子を示す図１０（ａ）のＸＢ−ＸＢ線に沿った拡大断面図である。
【図１１】（ａ）は、実施形態の第１変形例に係る光学素子を示す斜視図である。（ｂ）は、第１変形例に係る光学素子を示す図１１（ａ）のＸＩＢ−ＸＩＢ線に沿った拡大断面図である。
【図１２】（ａ）は、実施形態の第２変形例に係る光学素子を示す斜視図である。（ｂ）は、第２変形例に係る光学素子を示す図１２（ａ）のＸＩＩＢ−ＸＩＩＢ線に沿った拡大断面図である。
【図１３】（ａ）は、実施形態の第３変形例に係る光学素子を示す斜視図である。（ｂ）は、第３変形例に係る光学素子を示す図１３（ａ）のＸＩＩＩＢ−ＸＩＩＩＢ線に沿った拡大断面図である。
【図１４】（ａ）は、実施形態の第４変形例に係る光学素子を示す斜視図である。（ｂ）は、第４変形例に係る光学素子を示す図１４（ａ）のＸＩＶＢ−ＸＩＶＢ線に沿った拡大断面図である。
【図１５】（ａ）は、実施形態の第５変形例に係る光学素子を示す斜視図である。（ｂ）は、第５変形例に係る光学素子を示す拡大断面図である。
【発明を実施するための形態】
【００１７】
以下、本発明の実施形態について、図面を参照しながら説明する。なお、図中、同一または相当部分については同一の参照符号を付して説明を繰り返さない。また、実施形態において、三次元直交座標系のＸ軸およびＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１８】
図１〜図１０（ｂ）を参照して、本発明の実施形態に係る照明器具１について説明する。図１は、照明器具１を示す側面図である。図１に示すように、照明器具１は光を出射する。本実施形態では、照明器具１は、ウォールウォッシャーダウンライトである。照明器具１は、例えば、天井Ｃに取り付けられる。具体的には、照明器具１は、ヒートシンク３と、光源５と、反射体４と、枠体９と、複数の取付部材１１（本実施形態では、４つの取付部材１１）とを備える。
【００１９】
光源５は光を出射する。光源５は、ヒートシンク３の基端面の略中央部に取り付けられる。ヒートシンク３は複数のフィン１３を含む。ヒートシンク３は、複数のフィンによって、光源５が発した熱を放散する。従って、ヒートシンク３は、光源５の異常な温度上昇を抑制する。なお、熱の放散とは、放熱のことである。
【００２０】
反射体４は光を反射する。具体的には、反射体４は、保持部６と、反射部７とを含む。保持部６はヒートシンク３の基端部を保持する。反射部７は、光源５が出射した光を反射して、照明器具１の外部に向けて出射する。枠体９は、略円筒形状を有し、反射体４を支持する。枠体９には、取付部材１１の各々が装着される。取付部材１１の各々は、例えば、板バネである。
【００２１】
枠体９は、天井Ｃに形成された取付穴ＯＰに挿入される。そして、取付部材１１の各々が、取付穴ＯＰの周りの壁面に当接する。従って、複数の取付部材１１の弾力によって、枠体９が天井Ｃに取り付けられる。その結果、照明器具１が天井Ｃに取り付けられる。
【００２２】
なお、図１では、取付部材１１の形状の理解を容易にするため、取付穴ＯＰの周りの壁面に当接する前の取付部材１１を示している。
【００２３】
次に、図２〜図４を参照して、照明器具１の内部構造について説明する。図２は、照明器具１を示す側面断面図である。図３は、照明器具１を見上げたときの照明器具１を示す斜視図である。図４は、照明器具１を示す分解斜視図である。
【００２４】
図２〜図４に示すように、光源５は、光軸ＬＡを有し、基板５ａと、発光部５ｂとを含む。光軸ＬＡは、発光部５ｂに直交し、発光部５ｂの中心を通る。本実施形態において、光軸ＬＡは、鉛直方向に沿っている。基板５ａがヒートシンク３の基端面の略中央部に取り付けられる。基板５ａの実装面には発光部５ｂが実装される。
【００２５】
発光部５ｂは光を出射する。発光部５ｂは複数の発光素子を含む。発光素子は、本実施形態では、ＬＥＤ（Ｌｉｇｈｔ  Ｅｍｉｔｔｉｎｇ  Ｄｉｏｄｅ）である。そして、発光部５ｂは、ＣＯＢ（Ｃｈｉｐ  ｏｎ  Ｂｏａｒｄ）タイプである。ＣＯＢタイプは、複数のＬＥＤを蛍光体で封止することにより発光部５ｂを形成するタイプである。なお、発光部５ｂは、ＳＭＤ（Ｓｕｒｆａｃｅ  Ｍｏｕｎｔ  Ｄｅｖｉｃｅ）タイプであってもよい。ＳＭＤタイプは、ＬＥＤと蛍光体とを１ユニット化してＬＥＤチップを形成し、複数のＬＥＤチップを基板５ａの実装面に載置して基板５ａの導電パターンに電気的に接続することにより発光部５ｂを形成するタイプである。
【００２６】
反射部７は、中空であり、内面２８を有する。内面２８は、光源５が出射した光を反射して、照明器具１の外部に向けて光を出射する。
【００２７】
反射部７は、第１出射開口部２７と、第２入射開口部３１とを有する。なお、第１入射開口部４１については後述する。第２入射開口部３１は、光源５に対向し、光源５が出射した光を入射する。具体的には、第２入射開口部３１は、開口３１ａと、開口縁３１ｂとを有する。開口縁３１ｂは略円形形状を有する。また、第２入射開口部３１は光軸ＬＡに略直交する。
【００２８】
第１出射開口部２７は、光源５が出射して第２入射開口部３１から入射した光を、照明器具１の外部に出射する。具体的には、第１出射開口部２７は、開口２７ａと、開口縁２７ｂとを有する。開口縁２７ｂは略円形形状を有する。第１出射開口部２７と第２入射開口部３１とは、互いに略平行である。また、第１出射開口部２７は光軸ＬＡに略直交する。
【００２９】
反射部７は、第１反射部１５と、第２反射部１７とを含むことが好ましい。第２反射部１７は、光源５と第１反射部１５との間に位置する。第１反射部１５は光を反射する。具体的には、第１反射部１５は、中空であり、光を反射する内面２９を有する。内面２９は反射部７の内面２８を構成する。また、第１反射部１５は、略斜切円錐形状を有する。斜切円錐形状とは、円錐形状を円錐軸に対して傾斜する傾斜面で切断した形状のことである。さらに、第１反射部１５は、第１出射開口部２７と、第１入射開口部４１とを含む。第１反射部１５の第１出射開口部２７は、反射部７の第１出射開口部２７として機能している。
【００３０】
第１入射開口部４１は光を入射する。第１入射開口部４１は、開口４１ａと、開口縁４１ｂとを有する。開口縁４１ｂは略円形形状を有する。第１入射開口部４１は、第１出射開口部２７に対して傾斜している。また、第１入射開口部４１は光軸ＬＡに対して傾斜している。
【００３１】
具体的には、図２に示すように、第１入射開口部４１は、照明器具１の前方向ＦＤに向かって上方に傾斜している。つまり、第１入射開口部４１は、第１出射開口部２７に対して、ピッチ方向に傾斜している。ただし、第１入射開口部４１は、第１出射開口部２７に対して、ロール方向には傾斜していない。
【００３２】
照明器具１の前方向ＦＤは、照明器具１の側から壁Ｗａの側に向かう方向を示す。前方向ＦＤはＸ軸の負方向を向いている。第１入射開口部４１に対するピッチ方向は、第１入射開口部４１の左右軸の回りの回転方向を示す。図２では、第１入射開口部４１の左右軸はＹ軸に平行である。また、第１入射開口部４１に対するロール方向は、第１入射開口部４１の前後軸の回りの回転方向を示す。図２では、第１入射開口部４１の前後軸は、Ｘ軸に対して傾斜しており、第１入射開口部４１に平行である。なお、第１入射開口部４１に対するヨー方向は、第１入射開口部４１の上下軸の回りの回転方向を示す。図２では、第１入射開口部４１の上下軸はＺ軸に対して傾斜しており、第１入射開口部４１に直交している。また、前後及び左右は前方向ＦＤに対して定義される。
【００３３】
第１反射部１５の内面２９のうちの最長傾斜面２９ａが、内面２９のうちの最短傾斜面２９ｂよりも壁Ｗａに近くなるように、照明器具１が天井Ｃに取り付けられる。なお、本実施形態において、壁Ｗａは、照明器具１の照射対象物の一例である。また、壁Ｗａの壁面Ｗｓは、照明器具１の照明領域の一例である。
【００３４】
図２〜図４に示すように、第２反射部１７は光を反射する。具体的には、第２反射部１７は、中空であり、光を反射する内面３３を有する。内面３３は反射部７の内面２８を構成する。
【００３５】
第２反射部１７の内面２８は、光を効率良く反射するために、光を鏡面反射することが好ましい。従って、内面２８には、例えば、銀色塗装のような反射加工、又は、光沢のある金属メッキのような反射加工が施される。また、第２反射部１７の素材が、銀色のような光反射率の高い色彩を有していてもよい。なお、内面２８は白色であってもよい。従って、内面２８に、例えば、白色塗装のような反射加工が施されていてもよい。また、第２反射部１７の素材の色彩が白色であってもよい。
【００３６】
第２反射部１７は、第２入射開口部３１と、第２出射開口部４３とを含む。第２反射部１７の第２入射開口部３１は、反射部７の第２入射開口部３１として機能している。第２出射開口部４３は光を出射する。具体的には、第２出射開口部４３は、開口４３ａと、開口縁４３ｂとを有する。開口縁４３ｂは略円形形状を有する。第２出射開口部４３は、第２入射開口部３１に対して傾斜している。また、第２出射開口部４３は光軸ＬＡに対して傾斜している。
【００３７】
具体的には、図２に示すように、第２出射開口部４３は、照明器具１の前方向ＦＤに向かって上方に傾斜している。つまり、第２出射開口部４３は、第２入射開口部３１に対して、ピッチ方向に傾斜している。ただし、第２出射開口部４３は、第２入射開口部３１に対して、ロール方向には傾斜していない。
【００３８】
第２出射開口部４３に対するピッチ方向は、第２出射開口部４３の左右軸の回りの回転方向を示す。図２では、第２出射開口部４３の左右軸はＹ軸に平行である。また、第２出射開口部４３に対するロール方向は、第２出射開口部４３の前後軸の回りの回転方向を示す。図２では、第２出射開口部４３の前後軸は、Ｘ軸に対して傾斜しており、第２出射開口部４３に平行である。なお、第２出射開口部４３に対するヨー方向は、第２出射開口部４３の上下軸の回りの回転方向を示す。図２では、第２出射開口部４３の上下軸はＺ軸に対して傾斜しており、第２出射開口部４３に直交している。また、前後及び左右は前方向ＦＤに対して定義される。
【００３９】
第２反射部１７は、対称反射部１７ａと、非対称反射部１７ｂと、保持部６とを含む。第２反射部１７の保持部６は、反射体４の保持部６として機能している。対称反射部１７ａが第２入射開口部３１を有している。対称反射部１７ａは、光軸ＬＡに対して対称であり、中空の略円錐台形状を有する。対称反射部１７ａは光を反射する。
【００４０】
非対称反射部１７ｂが第２出射開口部４３を有している。非対称反射部１７ｂは、光軸ＬＡに対して非対称であり、中空の略斜切円筒形状を有する。斜切円筒形状とは、円筒形状を円筒軸に対して傾斜する傾斜面で切断した形状のことである。非対称反射部１７ｂは光を反射する。
【００４１】
非対称反射部１７ｂは、第２出射開口部４３が第２入射開口部３１に対して傾斜しているために、第２反射部１７に形成される。そして、非対称反射部１７ｂの内面３４のうちの最長垂直面３４ａが、光軸ＬＡよりも壁Ｗａから遠くになるように、照明器具１が天井Ｃに取り付けられる。そして、非対称反射部１７ｂは、対称反射部１７ａよりも、第１出射開口部２７に向かって延びている。従って、非対称反射部１７ｂの内面３４のうち、比較的面積の大きい領域が、壁Ｗａの側を向いている。その結果、本実施形態によれば、壁Ｗａに向かって効果的に光を出射できる。
【００４２】
図２〜図４に示すように、第１反射部１５と第２反射部１７とは結合される。具体的には、第１入射開口部４１と第２出射開口部４３とが対向するように、第１反射部１５と第２反射部１７とが結合される。
【００４３】
また、照明器具１は内部反射部２１を更に備える。内部反射部２１は光を反射する。
【００４４】
具体的には、光源５が出射した光は、第２入射開口部３１から入射する。その結果、第２入射開口部３１から入射した光の一部は、第２反射部１７の内面３３に反射されて、第２出射開口部４３から出射する。また、第２入射開口部３１から入射した光の一部は、第２反射部１７の内面３３に反射されることなく、第２出射開口部４３から出射する。
【００４５】
第２出射開口部４３から出射した光は、第１入射開口部４１から入射する。その結果、第１入射開口部４１から入射した光の一部は、第１反射部１５の内面２９に反射されて、第１出射開口部２７から出射する。また、第１入射開口部４１から入射した光の一部は、内部反射部２１に反射されて、第１出射開口部２７から出射する。
【００４６】
内部反射部２１は、光軸ＬＡに対して、壁Ｗａから離れる側に偏るように、反射部７の内部に設置される。内部反射部２１は、反射部７の内部空間に向かって凸状に湾曲している。具体的には、内部反射部２１は、光軸ＬＡに対して、壁Ｗａから離れる側に偏るように、第１反射部１５の内部に設置される。内部反射部２１は、第１反射部１５の内部空間に向かって凸状に湾曲している。また、内部反射部２１は、第１反射部１５の内部において、最長傾斜面２９ａの側と最短傾斜面２９ｂの側とのうち、最短傾斜面２９ｂの側に設置される。
【００４７】
また、内部反射部２１は、第１出射開口部２７の開口縁２７ｂに隣接する。従って、本実施形態によれば、内部反射部２１が第１出射開口部２７から離れて設置される場合と比較して、壁Ｗａに向かって更に効果的に光を反射できる。また、内部反射部２１は、第１出射開口部２７の開口２７ａに張り出している。
【００４８】
さらに、照明器具１は化粧板２３をさらに備えてもよい。化粧板２３は、内部反射部２１の底部に取り付けられる。なお、化粧板２３と内部反射部２１とは、一体成形によって形成されてもよい。
【００４９】
さらに、照明器具１は、光学素子２５をさらに備えることが好ましい。光学素子２５は、例えば、合成樹脂製又はガラス製である。光学素子２５は、略円板形状を有し、光学素子２５に入射する光を屈折させて出射する。具体的には、光学素子２５は、光学素子２５に入射する光を壁Ｗａの側に屈折させて出射する。従って、本実施形態によれば、壁Ｗａに向かって更に効果的に光を出射できる。
【００５０】
光学素子２５は、第１入射開口部４１及び第２出射開口部４３に対応して設置される。具体的には、光学素子２５は、第１入射開口部４１と第２出射開口部４３とに対向するように、第１反射部１５と第２反射部１７との間に設置される。例えば、光学素子２５は、第１反射部１５と第２反射部１７とに挟持される。従って、第２出射開口部４３から出射した光は、光学素子２５によって屈折されて、第１入射開口部４１から入射する。
【００５１】
なお、図２では、図面の簡略化のため、枠体９及び取付部材１１を省略するとともに、ヒートシンク３の断面を示す斜線を省略している。また、図３では、図面の簡略化のため、ヒートシンク３、枠体９、及び取付部材１１を省略している。さらに、図４では、図面の簡略化のため、枠体９及び取付部材１１を省略している。
【００５２】
次に、図５を参照して、特許文献１に記載されたウォールウォッシャータイプの照明器具（以下、「一般的な照明器具」と記載する。）と比較しつつ、照明器具１の配光について説明する。図５は、照明器具１が設置されている室内Ｒを示す側面断面図である。図５に示すように、室内Ｒの壁Ｗａが、照明器具１及び一般的な照明器具の照明対象物である。また、壁Ｗａの壁面Ｗｓが、照明器具１及び一般的な照明器具の照明領域である。
【００５３】
一般的な照明器具では、リフレクターの下端反射面が凹状に湾曲しているため、鉛直下方向への光の拡がりが比較的小さくなる。従って、照明器具が壁面Ｗｓの近傍に設置されると、リフレクターの下端反射面が反射した光が、壁面Ｗｓのうち、天井Ｃに近接した領域に集中し易い。その結果、光が集中して最も明るい部分Ｇ２が、壁面Ｗｓのうち、天井Ｃに近接した領域に発生する。
【００５４】
一方、照明器具１では、内部反射部２１が凸状に湾曲しているため、一般的な照明器具と比較して、鉛直下方向への光の拡がりが大きくなる。従って、照明器具１が壁面Ｗｓの近傍に設置される場合でも、内部反射部２１が反射した光が、壁面Ｗｓのうち、天井Ｃに近接した領域に集中することを抑制できる。その結果、光が集中して最も明るい部分Ｇ１が、壁面Ｗｓのうち、天井Ｃに近接した領域よりも下方に発生する。つまり、照明器具１による最も明るい部分Ｇ１が、一般的な照明器具による最も明るい部分Ｇ２よりも下方に発生する。
【００５５】
従って、壁面Ｗｓのうちの上部領域Ｗｕと下部領域Ｗｄとのうち下部領域Ｗｄでの光の照度が不足することを抑制できる。つまり、壁面Ｗｓの下部領域Ｗｄへの光の拡がりが小さくなり過ぎることを抑制できる。その結果、本実施形態によれば、一般的な照明器具と比較して、壁面Ｗｓの下部領域Ｗｄへの配光を良好にできる。
【００５６】
加えて、照明器具１では、内部反射部２１が凸状に湾曲しているため、内部反射部２１が反射した光が、壁面Ｗｓと天井Ｃとの入り隅Ｋから離れ過ぎた位置に集中することを抑制できる。つまり、光が集中して最も明るい部分Ｇ１が、入り隅Ｋから離れ過ぎた位置に発生することを抑制できる。従って、本実施形態によれば、入り隅Ｋ及び壁面Ｗｓの上部領域Ｗｕへの配光を良好にできる。なお、壁面Ｗｓの上部領域Ｗｕは入り隅Ｋの一部を含む。
【００５７】
以上、図５を参照して説明したように、本実施形態によれば、壁面Ｗｓの上部領域Ｗｕへの配光を良好にしつつ、壁面Ｗｓの下部領域Ｗｄへの光の拡がりが小さくなり過ぎることを抑制できる。
【００５８】
次に、図５及び図６を参照して、内部反射部２１について説明する。図６（ａ）は、内部反射部２１を示す斜視図である。図６（ｂ）は、内部反射部２１を示す平面図である。図６（ｃ）は、内部反射部２１を示す正面図である。図６（ａ）〜図６（ｃ）に示すように、内部反射部２１は複数の反射面ＲＳを有する。そして、複数の反射面ＲＳは光軸ＬＡの周りに配置される。従って、反射面ＲＳによって鉛直下方向への光の拡がりを大きくできるだけでなく、反射面ＲＳによって水平方向への光の拡がりを大きくできる。その結果、壁面Ｗｓ（図５）において、鉛直方向に沿って照明範囲を拡げることができるだけでなく、水平方向に沿って照明範囲を拡げることもできる。
【００５９】
本実施形態では、内部反射部２１は３つの反射面ＲＳを有する。３つの反射面ＲＳを区別して説明するときは、３つの反射面ＲＳを、それぞれ、第１反射面２１ａ、第２反射面２１ｂ、及び第３反射面２１ｃと記載する。なお、反射面ＲＳの個数は、１つでもよいし、３つ以外の複数であってもよい。また、複数の反射面ＲＳはそれぞれ分離していてもよい。
【００６０】
反射面ＲＳの各々は、光を効率良く反射するために、光を鏡面反射することが好ましい。従って、反射面ＲＳの各々には、例えば、銀色塗装のような反射加工、又は、光沢のある金属メッキのような反射加工が施される。また、内部反射部２１の素材が、銀色のような光反射率の高い色彩を有していてもよい。なお、反射面ＲＳの各々は白色であってもよい。従って、反射面ＲＳの各々に、例えば、白色塗装のような反射加工が施されていてもよい。また、内部反射部２１の素材の色彩が白色であってもよい。
【００６１】
反射面ＲＳの各々は、球面の一部によって形成され、斜め上方を向いている。従って、反射面ＲＳの各々は、反射部７（具体的には第１反射部１５）の内部空間に向かって凸状に湾曲する。３つの反射面ＲＳのうち、第１反射面２１ａと第３反射面２１ｃとは対向する。第２反射面２１ｂは、第１反射面２１ａと第３反射面２１ｃとの間に位置する。第１反射面２１ａ〜第３反射面２１ｃは、平面視略Ｖ字形状を構成している。
【００６２】
なお、反射面ＲＳは、球面の一部に限定されず、球面の一部以外の湾曲面であってもよい。例えば、反射面ＲＳは、非球面の一部であってもよい。例えば、反射面ＲＳが、断面視において、放物線の一部、楕円の一部、又は双曲線の一部を形成していてもよい。
【００６３】
次に、図５、図７（ａ）、及び図７（ｂ）を参照して、第１反射部１５と光軸ＬＡとの関係について説明する。図７（ａ）は、第１反射部１５を示す側面図である。図７（ｂ）は、照明器具１を示す底面図である。図７（ａ）及び図７（ｂ）に示すように、第１出射開口部２７の開口２７ａは半径ｄ２を有する。そして、第１出射開口部２７の開口２７ａの中心ＣＴの位置は、開口２７ａでの光軸ＬＡの位置と異なる。具体的には、開口２７ａの中心ＣＴと、開口２７ａでの光軸ＬＡとは、距離ｄ１だけ離間している。
【００６４】
従って、光軸ＬＡが開口２７ａの中心ＣＴを通る場合と比較して、第１入射開口部４１から入射した光のうち、第１反射部１５の内面２９に入射することなく第１出射開口部２７から出射する光を増やすことができる。その結果、本実施形態によれば、壁Ｗａ（図５）に向かって更に効果的に光を出射できる。
【００６５】
例えば、光軸ＬＡが開口２７ａの中心ＣＴを通る場合、光ＢＭ２の入射角度が角度値θ以上になると、光ＢＭ２は第１反射部１５に入射する。従って、光ＢＭ２は、壁Ｗａに向かって直接出射されない。一方、開口２７ａの中心ＣＴの位置と開口２７ａでの光軸ＬＡの位置とが異なる場合、光ＢＭ１の入射角度が角度値θ以上になっても、光ＢＭ１は、第１反射部１５に入射することなく壁Ｗａに向かって直接出射される。その結果、壁Ｗａに向かって更に効果的に光を出射できる。なお、角度値θは、光軸ＬＡに対する光の進行方向の角度値を示す。
【００６６】
次に、図５及び図８を参照して、第１反射部１５の内面２９について説明する。図８は、照明器具１を示す底面図である。なお、図８では、図面の簡略化のため、化粧板２３を省略し、内部反射部２１を二点鎖線で示している。
【００６７】
図８に示すように、反射部７の内面２９は第１領域３０ａと第２領域３０ｂとを有する。図８では、理解を容易にするため、第１領域３０ａにドットハッチングを付している。具体的には、第１反射部１５の内面２９が第１領域３０ａと第２領域３０ｂとを有する。
【００６８】
第１領域３０ａは、第１出射開口部２７の開口２７ａに対向し、内部反射部２１に対向していない。一方、第２領域３０ｂは、内部反射部２１に対向している。そして、第２領域３０ｂの光反射率は、第１領域３０ａの光反射率よりも大きい。従って、光反射率の比較的小さい第１領域３０ａによってグレア（つまり、眩しさ）を抑制しつつ、光反射率の比較的大きい第２領域３０ｂによって光を拡げて出射できる。その結果、本実施形態によれば、グレアを抑制しつつ、壁Ｗａ（図５）に向かって更に効果的に光を出射できる。なお、光反射率は、入射光量に対する出射光量の割合を示す。
【００６９】
第１領域３０ａは、例えば、僅かに光を反射する。一方、第２領域３０ｂは、例えば、第１入射開口部４１から入射して第２領域３０ｂに直接入射した光を反射する。そして、第２領域３０ｂは、第１出射開口部２７から光を拡げて出射する。
【００７０】
第１領域３０ａは、光を吸収し易い色彩又は素材を有することが好ましい。一方、第２領域３０ｂは、光を反射し易い色彩又は素材を有することが好ましい。特に、第２領域３０ｂは、光を効率良く反射するために、光を鏡面反射することが好ましい。
【００７１】
例えば、第１反射部１５を黒色の素材で形成して、第１領域３０ａを黒色にしつつ、第２領域３０ｂには、銀色塗装のような反射加工、又は、光沢のある金属メッキのような反射加工を施して、鏡面反射を実現する。また、例えば、第１反射部１５を銀色のような光反射率の高い色彩の素材で形成して、第２領域３０ｂで鏡面反射を実現しつつ、第１領域３０ａには、黒色塗装を施す。なお、第２領域３０ｂは白色であってもよい。従って、第２領域３０ｂに、例えば、白色塗装のような反射加工が施されていてもよい。また、第２領域３０ｂの素材の色彩が白色であってもよい。
【００７２】
次に、図５、図９（ａ）、及び図９（ｂ）を参照して、第１反射部１５と、第１反射部１５の変形例としての第１反射部１５Ａとについて説明する。図９（ａ）は、第１反射部１５を示す側面図である。図９（ａ）に示すように、第１反射部１５では、側面視において、光軸ＬＡに対して第１反射部１５の最長傾斜面２９ａのなす角度θａと、光軸ＬＡに対して最短傾斜面２９ｂのなす角度θａとが略同一である。そして、例えば、第１反射部１５は、中空の円錐台４５を平面ＰＬ１で切断することにより形成される。平面ＰＬ１は円錐台４５の下底に対して傾斜している。
【００７３】
図９（ｂ）は、変形例に係る第１反射部１５Ａを示す側面図である。図９（ｂ）に示すように、第１反射部１５Ａでは、側面視において、光軸ＬＡに対して第１反射部１５Ａの最長傾斜面２９ａのなす角度θｂは、光軸ＬＡに対して第１反射部１５Ａの最短傾斜面２９ｂのなす角度θｃよりも大きい。そして、例えば、第１反射部１５Ａは、中空の円錐台４５を平面ＰＬ２と平面ＰＬ３とで切断することにより形成される。平面ＰＬ２及び平面ＰＬ３は、円錐台４５の下底に対して傾斜しているとともに、互いに非平行である。
【００７４】
図９（ａ）及び図９（ｂ）に示すように、第１反射部１５の高さＨａと第１反射部１５Ａの高さＨａとは同一である。しかし、第１反射部１５Ａでは、角度θｂが角度θｃよりも大きいため、第１反射部１５Ａの最長傾斜面２９ａは、第１反射部１５の最長傾斜面２９ａよりも長い。従って、変形例では、最長傾斜面２９ａに入射する光が少なくなるので、第１反射部１５Ａの第１出射開口部２７から出射して壁Ｗａ（図５）に向かう光が、第１反射部１５の第１出射開口部２７から出射して壁Ｗａに向かう光よりも多くなる。その結果、変形例によれば、壁Ｗａに向かって更に効果的に光を出射できる。
【００７５】
次に、図２、図５、図１０（ａ）、及び図１０（ｂ）を参照して、光学素子２５について説明する。図１０（ａ）は、光学素子２５を示す斜視図である。図１０（ｂ）は、光学素子２５を示す図１０（ａ）のＸＢ−ＸＢ線に沿った拡大断面図である。なお、図１０（ｂ）では、図面の簡略化のため、光学素子２５の断面を示す斜線を省略している。また、図１０（ｂ）では、説明の便宜上、光学素子２５に入射する光のうち、光学素子２５の法線ＶＬに沿って入射する光ＬＴ０のみを図示している。法線ＶＬは、光学素子２５に直交する。
【００７６】
図１０（ａ）に示すように、光学素子２５は、光を透過する。光学素子２５は、屈折部５１を含む。屈折部５１は、光源５（図２）に対向する。屈折部５１は、屈折部５１に入射した光を壁Ｗａ（図５）の側に屈折させて出射する。
【００７７】
図１０（ｂ）に示すように、光学素子２５の厚み方向ＴＡは、光学素子２５の法線ＶＬに沿っている。つまり、厚み方向ＴＡは、光学素子２５の法線に略平行である。光学素子２５は、透過部５３をさらに備える。屈折部５１と透過部５３とは、一体成形されて、光学素子２５が形成される。なお、本実施形態の屈折部５１と、透過部５３とを一体成形することは、一例である。
【００７８】
屈折部５１は、光を屈折させる。すなわち、屈折部５１は、光が所定方向Ｄに偏るように光を曲げる。本明細書において、屈折部５１は、法線ＶＬに対して光が所定方向Ｄに偏るように光を曲げる。つまり、屈折部５１は、光学素子２５の厚み方向ＴＡに対して光が所定方向Ｄに偏るように光を曲げる。本明細書において、光を曲げるとは、光の進行方向を変えることを示す。所定方向Ｄは、法線ＶＬに交差する。本明細書において、所定方向Ｄは法線ＶＬに直交する。
【００７９】
屈折部５１は、複数の屈折要素５１ａを含む。複数の屈折要素５１ａの各々は光を屈折させる。屈折要素５１ａは、傾斜面５１ｂを有する。屈折要素５１ａは、断面視において略三角形状（具体的には略直角三角形状）である。屈折要素５１ａは、略三角柱状であり、一方向（本実施形態では、Ｙ軸方向）に沿って延びている。複数の屈折要素５１ａは、略平行である。
【００８０】
屈折要素５１ａは、光学素子２５の厚み方向ＴＡに対して角度θ０だけ傾斜する。具体的には、屈折要素５１ａの傾斜面５１ｂは、光学素子２５の厚み方向ＴＡに対して角度θ０だけ傾斜する。角度θ０は、光学素子２５の厚み方向ＴＡに対する傾斜面５１ｂの角度を示す。角度θ０は鋭角である。傾斜面５１ｂは、屈折要素５１ａに入射した光ＬＴ０が、照明対象物に向かって屈折するように形成されている。角度θ０の大きさは、例えば、屈折要素５１ａの幅Ｗ及び／又は屈折要素５１ａの高さＨを変えることによって決定できる。なお、本明細書において、屈折要素５１ａの幅は、厚み方向ＴＡに直交する方向に沿った屈折要素５１ａの長さを示す。また、屈折要素５１ａの高さは、厚み方向ＴＡに沿った屈折要素５１ａの長さを示す。
【００８１】
透過部５３は、光を透過する。透過部５３と屈折部５１とは隣接する。透過部５３の表面５２ａは、例えば、平坦面である。なお、例えば、透過部５３の表面５２ａにシボ加工が施されていてもよい。
【００８２】
光源５が出射した光ＬＴ０は、屈折要素５１ａの傾斜面５１ｂに入射する。屈折要素５１ａは、傾斜面５１ｂに入射した光ＬＴ０が壁Ｗａの側に向かうように、屈折要素５１ａに入射した光ＬＴ０を屈折させる。屈折要素５１ａが屈折させた光ＬＴ０は、透過部５３に入射する。透過部５３は、透過部５３に入射した光ＬＴ０を透過させて出射する。
【００８３】
以上、図２、図５、図１０（ａ）、及び図１０（ｂ）を参照して説明したように、屈折部５１は、光学素子２５の厚み方向ＴＡに対して、角度θ０だけ傾斜する屈折要素５１ａを含む。屈折要素５１ａは、屈折要素５１ａに入射した光ＬＴ０が、壁Ｗａの側に向かって屈折するように形成されている。従って、壁Ｗａに向かって更に効果的に光を出射できる。
【００８４】
次に、図２、図５、及び図１１（ａ）〜図１５（ｂ）を参照して、本発明の第１変形例〜第５変形例に係る照明器具１について説明する。なお、図１１（ｂ）、図１２（ｂ）、図１３（ｂ）、図１４（ｂ）、及び図１５（ｂ）では、図面の簡略化のため、断面を示す斜線を省略し、説明の便宜上、光学素子に入射する光のうち、光学素子の法線ＶＬに沿って入射する光のみを図示している。法線ＶＬは、光学素子に直交する。また、図５に示すように、照明器具１が天井Ｃに取り付けられ、照明器具１の照明対象物が照明器具１の取り付けられている室内Ｒの壁Ｗａである場合を例に挙げて説明する。
【００８５】
（第１変形例）
図２、図５、図１１（ａ）、及び図１１（ｂ）を参照して、本発明の第１変形例に係る照明器具１について説明する。第１変形例に係る照明器具１は、光学素子２５に代えて光学素子６０を備えている点で、図２に示す照明器具１と異なる。以下、第１変形例に係る照明器具１について、図２に示す照明器具１と異なる点を主に説明する。
【００８６】
図１１（ａ）は、第１変形例に係る照明器具１の光学素子６０を示す斜視図である。図１１（ｂ）は、光学素子６０を示す図１１（ａ）のＸＩＢ−ＸＩＢ線に沿った拡大断面図である。
【００８７】
図１１（ａ）及び図１１（ｂ）に示すように、光学素子６０は、屈折部６１と、拡散部６２と、透過部６３とを備える。屈折部６１の構成及び透過部６３の構成は、それぞれ、図１０（ａ）及び図１０（ｂ）を参照して説明した屈折部５１の構成及び透過部５３の構成と同様である。従って、屈折部６１の構成、及び透過部６３の構成についての説明は省略する。
【００８８】
拡散部６２は、屈折部６１に対向する。屈折部６１は、拡散部６２よりも光源５（図２）に近い。拡散部６２は、光を拡散させる。本明細書において、光の拡散は、光を広げること又は光を散乱することを含む概念である。光の散乱は、光を乱反射等して光を散らすことを示す。具体的には、拡散部６２には、屈折部６１によって屈折された光が入射する。そして、拡散部６２は、拡散部６２に入射した光を拡散させて出射するように、拡散部６２に入射した光を拡散させる。従って、光源５が出射した光は、壁Ｗａの側に向かうように屈折部６１に屈折されて、拡散部６２に拡散された後に、例えば、照明器具１から直接出射する。その結果、照明器具１から屈折光が直接出射される場合と比較して、壁面Ｗｓに照度ムラが発生することを抑制できる。
【００８９】
具体的には、図１１（ｂ）の例では、拡散部６２は、光を散乱する。第１変形例において、拡散部６２は、拡散部６２の光出射面に微小な凹凸を設けることによって形成される。すなわち、拡散部６２は、凹凸形状を有する。具体的には、拡散部６２は、複数の拡散要素６２ａを含む。第１変形例において、複数の拡散要素６２ａの各々は、屈折部６１から離れるように凸状に湾曲し、光を拡散させる。図１１（ｂ）の例では、拡散要素６２ａは光を散乱させる。拡散要素６２ａは、断面視において略欠円状である。第１変形例において、拡散要素６２ａは、略球欠状である。ただし、拡散要素６２ａが拡散要素６２ａに入射する光を拡散する限り、拡散要素６２ａの形状は任意の形状であってよい。また、第１変形例において、複数の拡散要素６２ａは格子状に配置される。ただし、複数の拡散要素６２ａは、千鳥状に配置されてもよいし、任意に配置されてよい。第１変形例において、拡散部６２は、ディフュージョンレンズとして機能する。
【００９０】
光源５が出射した光ＬＴ１は、屈折要素６１ａの傾斜面６１ｂに入射する。屈折要素６１ａは、傾斜面６１ｂに入射した光ＬＴ１が壁Ｗａの側に向かうように、屈折要素６１ａに入射した光ＬＴ１を屈折させる。屈折要素６１ａが屈折させた光ＬＴ１は、透過部６３に入射する。透過部６３は、透過部６３に入射した光ＬＴ１を透過させる。透過部６３が透過させた光ＬＴ１は、拡散要素６２ａに入射する。拡散要素６２ａは、拡散要素６２ａに入射した光ＬＴ１を拡散させる。拡散要素６２ａは、拡散要素６２ａが拡散させた光ＬＴ１を、光ＬＤ１として出射させる。
【００９１】
以上、図１１（ａ）及び図１１（ｂ）を参照して説明したように、第１変形例によれば、拡散部６２は、屈折部６１から離れるように凸状に湾曲する拡散要素６２ａを含む。従って、拡散部６２は、拡散部６２に入射した光ＬＴ１を拡散させることができる。その結果、壁Ｗａの壁面Ｗｓの照度が略均一になり、壁面Ｗｓに照度ムラが発生することを抑制できる。例えば、照明器具１によって壁Ｗａと天井Ｃとが交わる部分（入り隅）を照射する場合、壁Ｗａの上部領域Ｗｕの照度と、壁Ｗａの下部領域Ｗｄの照度とが略均一になり、壁面Ｗｓに照度ムラが発生することを抑制できる。
【００９２】
（第２変形例）
図２、図５、図１２（ａ）、及び図１２（ｂ）を参照して、本発明の第２変形例について説明する。第２変形例では、光学素子２５に代えて、光学素子７０を備える点で、図２に示す照明器具１と異なる。以下、第２変形例に係る照明器具１について、図２に示す照明器具１と異なる点を主に説明する。
【００９３】
図１２（ａ）は、第２変形例に係る光学素子７０の屈折部７１を示す平面図である。図１２（ｂ）は、図１２（ａ）のＸＩＩＢ−ＸＩＩＢ線に沿った光学素子７０の模式的断面図である。
【００９４】
図１２（ａ）及び図１２（ｂ）に示すように、光学素子７０は、屈折部７１と、拡散部７２と、透過部７３とを備える。拡散部７２は、屈折部７１に対向する。屈折部７１は、拡散部７２よりも光源５（図２）に近い。透過部７３は、拡散部７２と屈折部７１との間に位置する。透過部７３の構成は、図１０（ａ）及び図１０（ｂ）を参照して説明した透過部５３の構成と同様である。また、拡散部７２の構成は、図１１（ａ）及び図１１（ｂ）を参照して説明した拡散部６２の構成と同様である。従って、透過部７３の構成、及び拡散部７２の構成についての説明は省略する。
【００９５】
屈折部７１は、光を屈折させる。屈折部７１は、複数の屈折領域Ａ７を有する。第２変形例では、屈折部７１は、２つの屈折領域Ａ７を有する。以下、第２変形例において、２つの屈折領域Ａ７のうちの一方を第１屈折領域Ａ７１と記載し、２つの屈折領域Ａ７のうちの他方を第２屈折領域Ａ７２と記載する。第１屈折領域Ａ７１と第２屈折領域Ａ７２とは隣り合う。第１屈折領域Ａ７１が第２屈折領域Ａ７２よりも照明器具１の照明対象物に近くなるように、照明器具１は配置される。すなわち、第２変形例において、第１屈折領域Ａ７１は、第２屈折領域Ａ７２よりも壁Ｗａに近い。
【００９６】
また、屈折部７１は、複数の屈折要素７１ａを含む。屈折要素７１ａは光を屈折させる。屈折要素７１ａは、断面視において略三角形状（具体的には略直角三角形状）である。屈折要素７１ａは、略三角柱状であり、一方向（第２変形例では、Ｙ軸方向）に沿って延びている。複数の屈折要素７１ａは、略平行である。以下、第２変形例において、第１屈折領域Ａ７１に位置する屈折要素７１ａを第１屈折要素７１ａ１と記載し、第２屈折領域Ａ７２に位置する屈折要素７１ａを第２屈折要素７１ａ２と記載する。
【００９７】
第１屈折要素７１ａ１の形状は、第２屈折要素７１ａ２の形状と異なる。具体的には、第１屈折要素７１ａ１の傾斜面７１ｂ１は、光学素子７０の厚み方向ＴＡに対して角度θ２だけ傾斜する。一方、第２屈折要素７１ａ２の傾斜面７１ｂ２は、光学素子７０の厚み方向ＴＡに対して角度θ３だけ傾斜する。角度θ２は角度θ３と異なる。第２変形例において、角度θ２は、角度θ３よりも小さい。つまり、厚み方向ＴＡに対する傾斜面７１ｂ１の傾斜は、厚み方向ＴＡに対する傾斜面７１ｂ２の傾斜よりも小さい。角度θ２と角度θ３とが異なる場合、つまり、傾斜面７１ｂ１の傾斜角度θ２と傾斜面７１ｂ２の傾斜角度θ３とが異なる場合は、第１屈折要素７１ａ１の形状と第２屈折要素７１ａ２の形状とが異なることを示す。
【００９８】
第１屈折要素７１ａ１は、第１屈折要素７１ａ１に入射した光ＬＴ２を光学素子７０の厚み方向ＴＡに対して角度θ４だけ屈折させる。一方、第２屈折要素７１ａ２は、第２屈折要素７１ａ２に入射した光ＬＴ３を光学素子７０の厚み方向ＴＡに対して角度θ５だけ屈折させる。角度θ４は、角度θ５よりも大きい。従って、第１屈折要素７１ａ１は、第１屈折要素７１ａ１に入射した光ＬＴ２を、照明対象物である壁Ｗａの上部領域Ｗｕの側に向かって屈折させる。一方、第２屈折要素７１ａ２は、第２屈折要素７１ａ２に入射した光ＬＴ３を、壁Ｗａの下部領域Ｗｄの側に向かって屈折させる。
【００９９】
第１屈折要素７１ａ１が屈折させた光ＬＴ２、及び第２屈折要素７１ａ２が屈折させた光ＬＴ３の各々は、透過部７３に入射する。透過部７３は、透過部７３に入射した光ＬＴ２及び光ＬＴ３を透過させる。透過部７３が透過させた光ＬＴ２及び光ＬＴ３は、拡散要素７２ａに入射する。拡散要素７２ａは、拡散要素７２ａに入射した光ＬＴ２及び光ＬＴ３を拡散させる。拡散要素７２ａは、拡散要素７２ａが拡散させた光ＬＴ２を光ＬＤ２として出射させ、拡散要素７２ａが拡散させた光ＬＴ３を光ＬＤ３として出射させる。拡散要素７２ａが出射させた光ＬＤ２及び光ＬＤ３は、例えば、照明器具１から直接出射する。そして、光ＬＤ２は、照明対象物としての壁Ｗａの上部領域Ｗｕに照射される。一方、光ＬＤ３は、照明対象物としての壁Ｗａの下部領域Ｗｄに照射される。
【０１００】
以上、図１２（ａ）及び図１２（ｂ）を参照して説明したように、第２変形例によれば、複数の屈折領域Ａ７のうちの第１屈折領域Ａ７１に位置する第１屈折要素７１ａ１の形状は、複数の屈折領域Ａ７のうちの第２屈折領域Ａ７２に位置する第２屈折要素７１ａ２の形状と異なる。従って、複数の屈折要素７１ａの形状が全て同じ形状である場合と比較して、光学素子７０を出射する光の照明領域が拡がる。その結果、照明器具１の照明領域が拡がる。
【０１０１】
また、第２変形例によれば、照明器具１が出射させる光は、拡散している。従って、照明器具１の照明領域の照度を均一に照射できる。その結果、照明器具１の照明領域に照度ムラが発生することを抑制できる。
【０１０２】
また、第２変形例によれば、複数の屈折要素７１ａが異なる屈折要素（第１屈折要素７１ａ１および第２屈折要素７１ａ２）を含むことで、配光設計の自由度が大きくなる。従って、照明領域が拡がるように配光をコントロールすることが容易になる。
【０１０３】
（第３変形例）
図２、図５、図１３（ａ）、及び図１３（ｂ）を参照して、本実施形態の第３変形例について説明する。第３変形例に係る照明器具１は、光学素子２５に代えて、光学素子８０を備える点で、図２に示す照明器具１と異なる。以下、第３変形例に係る照明器具１について、図２に示す照明器具１と異なる点を主に説明する。
【０１０４】
図１３（ａ）は、第３変形例に係る光学素子８０の屈折部８１を示す平面図である。図１３（ｂ）は、図１３（ａ）のＸＩＩＩＢ−ＸＩＩＩＢ線に沿った光学素子８０の模式的断面図である。なお、壁Ｗａを第１照明対象物と記載し、床Ｆを第２照明対象物と記載する場合がある。
【０１０５】
光学素子８０は、屈折部８１と、拡散部８２と、透過部８３とを備える。拡散部８２は、屈折部８１に対向する。屈折部８１は、拡散部８２よりも光源５（図２）に近い。透過部８３は、拡散部８２と屈折部８１との間に位置する。透過部８３の構成は、図１０（ａ）及び図１０（ｂ）を参照して説明した透過部５３の構成と同様である。また、拡散部８２の構成は、図１１（ａ）及び図１１（ｂ）を参照して説明した拡散部６２の構成と同様である。このため、透過部８３の構成、及び拡散部８２の構成についての説明は省略する。
【０１０６】
屈折部８１は光を屈折させる。屈折部８１は、複数の屈折領域Ａ８を有する。第３変形例では、屈折部８１は、２つの屈折領域Ａ８を有する。以下、第３変形例において、２つの屈折領域Ａ８のうちの一方を第３屈折領域Ａ８３と記載し、２つの屈折領域Ａ８のうちの他方を第４屈折領域Ａ８４と記載する。第３屈折領域Ａ８３と第４屈折領域Ａ８４とは隣り合う。第３屈折領域Ａ８３が第４屈折領域Ａ８４よりも照明器具１の第１照明対象物に近くなるように、照明器具１は配置される。すなわち、第３変形例において、第３屈折領域Ａ８３は、第４屈折領域Ａ８４よりも壁Ｗａに近い。
【０１０７】
また、屈折部８１は、複数の屈折要素８１ａを含む。複数の屈折要素８１ａの各々は光を屈折させる。複数の屈折要素８１ａの各々は、光学素子８０の厚み方向ＴＡに対して傾斜する。屈折要素８１ａは、断面視において略三角形状（具体的には略直角三角形状）である。屈折要素８１ａは、略三角柱状であり、一方向（第３変形例では、Ｙ軸方向）に沿って延びている。複数の屈折要素８１ａは、略平行である。以下、第３変形例において、第３屈折領域Ａ８３に位置する屈折要素８１ａを第３屈折要素８１ａ３と記載し、第４屈折領域Ａ８４に位置する屈折要素８１ａを第４屈折要素８１ａ４と記載する。第３屈折要素８１ａ３は、傾斜面８１ｂ３を有し、第４屈折要素８１ａ４は、傾斜面８１ｂ４を有する。
【０１０８】
第３屈折要素８１ａ３の形状は、第４屈折要素８１ａ４の形状と異なる。具体的には、第３屈折要素８１ａ３の傾斜面８１ｂ３は、光学素子８０の厚み方向ＴＡに対して角度θ６だけ傾斜する。一方、第４屈折要素８１ａ４の傾斜面８１ｂ４は、光学素子８０の厚み方向ＴＡに対して角度θ７だけ傾斜する。角度θ６は、角度θ７よりも小さい。角度θ６は鋭角であり、角度θ７は鈍角である。つまり、傾斜面８１ｂ３の傾斜方向は、傾斜面８１ｂ４の傾斜方向と異なる。傾斜面８１ｂ３の傾斜方向と傾斜面８１ｂ４の傾斜方向とが異なる場合は、第３屈折要素８１ａ３の形状と第４屈折要素８１ａ４の形状とが異なることを示す。
【０１０９】
第３屈折要素８１ａ３は、第３屈折要素８１ａ３に入射した光ＬＴ４を、光学素子８０の厚み方向ＴＡに対して角度θ８だけ、第１照明対象物の側に屈折させる。一方、第４屈折要素８１ａ４は、第４屈折要素８１ａ４に入射した光ＬＴ５を、光学素子８０の厚み方向ＴＡに対して角度θ９だけ、第２照明対象物の側に屈折させる。ここで、角度θ８は、厚み方向ＴＡに対して、時計回りの方向に光ＬＴ４が傾斜している角度を示す。角度θ９は、厚み方向ＴＡに対して、反時計回りの方向に光ＬＴ５が傾斜している角度を示す。従って、第３屈折要素８１ａ３は、第３屈折要素８１ａ３に入射した光ＬＴ４が第１照明対象物としての壁Ｗａの側に向かうように、光ＬＴ４を屈折させる。一方、第４屈折要素８１ａ４は、第４屈折要素８１ａ４に入射した光ＬＴ５が第２照明対象物としての床Ｆの側に向かうように、光ＬＴ５を屈折させる。
【０１１０】
第３屈折要素８１ａ３が屈折させた光ＬＴ４、及び第４屈折要素８１ａ４が屈折させた光ＬＴ５は、透過部８３に入射する。透過部８３は、透過部８３に入射した光ＬＴ４及び光ＬＴ５を透過させる。透過部８３が透過させた光ＬＴ４及び光ＬＴ５は、拡散要素８２ａに入射する。拡散要素８２ａは、拡散要素８２ａに入射した光ＬＴ４及び光ＬＴ５を拡散させる。拡散要素８２ａは、拡散要素８２ａが拡散させた光ＬＴ４を光ＬＤ４として出射させ、拡散要素８２ａが拡散させた光ＬＴ５を光ＬＤ５として出射させる。拡散要素８２ａが出射させた光ＬＤ４及び光ＬＤ５は、例えば、照明器具１から直接出射する。そして、光ＬＤ２は、第１照明対象物としての壁Ｗａに照射される。一方、光ＬＤ３は、第２照明対象物としての床Ｆに照射される。
【０１１１】
以上、図１３（ａ）及び図１３（ｂ）を参照して説明したように、第３変形例によれば、複数の屈折領域Ａ８のうちの第３屈折領域Ａ８３に位置する第３屈折要素８１ａ１３の形状は、複数の屈折領域Ａ８のうちの第４屈折領域Ａ８４に位置する第４屈折要素８１ａ４の形状と異なる。従って、複数の屈折要素８１ａの形状が全て同じ形状である場合と比較して、光学素子８０を出射する光の照明領域が拡がる。その結果、照明器具１の照明領域が拡がる。例えば、照明器具１は、壁Ｗａと床Ｆとを照射できる。
【０１１２】
また、第３変形例によれば、複数の屈折要素８１ａが異なる屈折要素（第３屈折要素８１ａ１３および第４屈折要素８１ａ４）を含むことで、配光設計の自由度が大きくなる。従って、照明領域が拡がるように配光をコントロールすることが容易になる。  
【０１１３】
また、第３変形例によれば、照明器具１が出射させる光は、拡散している。従って、照明器具１の照明領域の照度を略均一に照射できる。その結果、照明器具１の照明領域に照度ムラが発生することを抑制できる。
【０１１４】
（第４変形例）
図２、図５、図１４（ａ）、及び図１４（ｂ）を参照して、本実施形態の第４変形例について説明する。第４変形例に係る照明器具１は、光学素子２５に代えて、光学素子９０を備える点で、図２に示す照明器具１と異なる。以下、第４変形例に係る照明器具１について、図２に示す照明器具１と異なる点を主に説明する。
【０１１５】
図１４（ａ）は、第４変形例に係る光学素子９０の拡散部９２を示す平面図である。図１４（ｂ）は、図１４（ａ）のＸＩＶＢ−ＸＩＶＢ線に沿った光学素子９０の模式的断面図である。
【０１１６】
図１４（ａ）及び図１４（ｂ）に示すように、光学素子９０は、屈折部９１と、拡散部９２と、透過部９３とを備える。拡散部９２は、屈折部９１に対向する。拡散部９２は光を拡散させる。図１４（ｂ）の例では、拡散部９２は、光を散乱させる。屈折部９１は、拡散部９２よりも光源５（図２）に近い。透過部９３は、拡散部９２と屈折部９１との間に位置する。透過部９３は、光を透過する。屈折部９１の構成及び透過部９３の構成は、それぞれ、図１０（ａ）及び図１０（ｂ）を参照して説明した屈折部９１の構成及び透過部９３の構成と同様である。このため、屈折部９１の構成及び透過部９３の構成についての説明は省略する。
【０１１７】
拡散部９２は、複数の拡散領域Ａ９を有する。第４変形例では、拡散部９２は、２つの拡散領域Ａ９を有する。以下、第４変形例において、２つの拡散領域Ａ９のうちの一方を第１拡散領域Ａ９１と記載し、２つの拡散領域Ａ９のうちの他方を第２拡散領域Ａ９２と記載する。第１拡散領域Ａ９１と第２拡散領域Ａ９２とは隣り合う。第１拡散領域Ａ９１が第２拡散領域Ａ９２よりも照明器具１の照明対象物の側に近くなるように、照明器具１は配置される。すなわち、第４変形例において、第１拡散領域Ａ９１は、第２拡散領域Ａ９２よりも壁Ｗａに近い。
【０１１８】
また、拡散部９２は、複数の拡散要素９２ａを含む。複数の拡散要素９２ａの各々は光を拡散させる。図１４（ｂ）の例では、拡散要素９２ａは光を散乱させる。
【０１１９】
複数の拡散要素９２ａの各々は、屈折部９１から離れるように凸状に湾曲する。拡散要素９２ａは、断面視において略欠円状である。拡散要素９２ａは、略球欠状である。
【０１２０】
以下、第４変形例において、第１拡散領域Ａ９１に位置する拡散要素９２ａを第１拡散要素９２ａ１と記載し、第２拡散領域Ａ９２に位置する拡散要素９２ａを第２拡散要素９２ａ２と記載する。第１拡散要素９２ａ１の形状は、第２拡散要素９２ａ２の形状と異なる。具体的には、第１拡散要素９２ａ１の曲率は、第２拡散要素９２ａ２の曲率よりも大きい。曲率が異なることは形状が異なることを示す。また、第１拡散要素９２ａ１のサイズは、第２拡散要素９２ａ２のサイズよりも小さい。すなわち、第１拡散領域Ａ９１の単位面積当たりの第１拡散要素９２ａ１の数は、第２拡散領域Ａ９２の単位面積当たりの第２拡散要素９２ａ２の数よりも多い。複数の第１拡散要素９２ａ１は、例えば第１拡散領域Ａ９１において格子状に配置され、複数の第２拡散要素９２ａ２は、例えば第２拡散領域Ａ９２において格子状に配置される。なお、複数の第１拡散要素９２ａ１は、千鳥状に配置されてもよいし、任意に配置されてよい。
【０１２１】
屈折要素９１ａは、屈折要素９１ａに入射した光ＬＴ６及び光ＬＴ７の各々を光学素子９０の厚み方向ＴＡに対して角度θ１０だけ屈折させる。屈折要素９１ａが屈折させた光ＬＴ６及び光ＬＴ７は、透過部９３に入射する。透過部９３は、透過部９３に入射した光ＬＴ６及び光ＬＴ７を透過させる。透過部９３が透過させた光ＬＴ６は、第１拡散要素９２ａ１に入射する。一方、透過部９３が透過させた光ＬＴ７は、第２拡散要素９２ａ２に入射する。
【０１２２】
第１拡散要素９２ａ１は、第１拡散要素９２ａ１に入射した光ＬＴ６を拡散させる。そして、第１拡散要素９２ａ１は、第１拡散要素９２ａ１が拡散させた光ＬＴ６を光ＬＤ６として出射させる。一方、第２拡散要素９２ａ２は、第２拡散要素９２ａ２に入射した光ＬＴ７を拡散させる。そして、第２拡散要素９２ａ２が拡散させた光ＬＴ７を光ＬＤ７として出射させる。第１拡散要素９２ａ１が出射させた光ＬＤ６及び第２拡散要素９２ａ２が出射させた光ＬＤ７は、例えば、照明器具１から直接出射する。光ＬＤ６は、光ＬＤ７よりも広範囲に拡散している。そして、光ＬＤ６及び光ＬＤ７は、照明対象物としての壁Ｗａに照射される。
【０１２３】
以上、図１４（ａ）及び図１４（ｂ）を参照して説明したように、第４変形例によれば、複数の拡散領域Ａ９のうちの第１拡散領域Ａ９１に位置する第１拡散要素９２ａ１の形状は、複数の拡散領域Ａ９のうちの第２拡散領域Ａ９２に位置する第２拡散要素９２ａ２の形状と異なる。従って、第１拡散要素９２ａ１が出射させた光ＬＤ６の照明領域の広さは、第２拡散要素９２ａ２が出射させた光ＬＤ７の照明領域の広さと異なる。その結果、光ＬＤ６と光ＬＤ７とが同程度に拡散する場合よりも、光ＬＤ６による照明領域の照度と光ＬＤ７による照明領域の照度とがさらに均一になり、照明器具１の照明領域に照度ムラが発生することを抑制できる。具体的には以下のとおりである。
【０１２４】
第１拡散要素９２ａ１から出射した光ＬＤ６が照明器具１の照明対象物としての壁Ｗａに到達するまでの距離は、第２拡散要素９２ａ２から出射した光ＬＤ７が照明器具１の照明対象物としての壁Ｗａに到達するまでの距離よりも短い。つまり、光ＬＤ６及び光ＬＤ７の各々が同程度に拡散して壁Ｗａを照射する場合、光ＬＤ７の照明領域の照度よりも光ＬＤ６の照明領域の照度が高く、光ＬＤ７の照明領域よりも光ＬＤ６の照明領域の方が明るい。従って、光ＬＤ６を光ＬＤ７よりも広範囲に拡散させることによって、光ＬＤ６による照明領域の照度と光ＬＤ７による照明領域の照度とが略均一になる。その結果、複数の拡散要素９２ａの形状が全て同じである場合と比較して、照明器具１の照明領域に照度ムラが発生することを抑制できる。
【０１２５】
（第５変形例）
図２、図５、図１５（ａ）、及び図１５（ｂ）を参照して、本実施形態の第５変形例について説明する。第５変形例に係る照明器具１は、光学素子２５に代えて、光学素子１００を備える点で、図２に示す照明器具１と異なる。以下、第５変形例に係る照明器具１について、図２に示す照明器具１と異なる点を主に説明する。
【０１２６】
図１５（ａ）は、第５変形例に係る光学素子１００を示す側面図である。図１５（ｂ）は、第５変形例に係る光学素子１００の拡大断面図である。
【０１２７】
図１５（ａ）及び図１５（ｂ）に示すように、光学素子１００は、屈折部１０１と、拡散部１０２と、透過部１０３とを備える。拡散部１０２は、屈折部１０１に対向する。拡散部１０２は光を拡散させる。第５変形例では、拡散部１０２は光を広げる。屈折部１０１は、拡散部１０２よりも光源５（図２）に近い。透過部１０３は、拡散部１０２と屈折部１０１との間に位置する。透過部１０３は、光を透過する。屈折部１０１の構成及び透過部１０３の構成は、それぞれ、図１０（ａ）及び図１０（ｂ）を参照して説明した屈折部１０１の構成及び透過部１０３の構成と同様である。このため、屈折部１０１の構成及び透過部１０３の構成についての説明は省略する。
【０１２８】
拡散部１０２は、拡散要素１０２ａを含む。拡散要素１０２ａは光を拡散させる。第５変形例では、拡散要素１０２ａは光を広げる。拡散要素１０２ａは、屈折部１０１に向かって凹状に湾曲する。具体的には、拡散要素１０２ａの厚みは、拡散要素１０２ａのうち照明対象物に近い側から照明対象物に遠い側に向かって漸次大きくなる。拡散要素１０２ａは、凹レンズであり、一方向（第５変形例では、Ｙ軸方向）に沿って延びている。
【０１２９】
屈折要素１０１ａは、屈折要素１０１ａに入射した光ＬＴ８を光学素子１００の厚み方向ＴＡに対して角度θ１１だけ屈折させる。屈折要素１０１ａが屈折させた光ＬＴ８は、透過部１０３に入射する。透過部１０３は、透過部１０３に入射した光ＬＴ８を透過させる。透過部１０３が透過させた光ＬＴ８は、拡散要素１０２ａに入射する。拡散要素１０２ａは、拡散要素１０２ａに入射した光ＬＴ８を拡散させる。拡散要素１０２ａは、拡散要素１０２ａが拡散させた光ＬＴ８を光ＬＤ８として出射させる。拡散要素１０２ａが出射させた光ＬＤ８は、例えば、照明器具１から直接出射する。そして、光ＬＤ８は、照明対象物としての壁Ｗａに照射される。
【０１３０】
以上、図１５（ａ）及び図１５（ｂ）を参照して説明したように、第５変形例によれば、拡散部１０２は、屈折部１０１に向かって凹状に湾曲する拡散要素１０２ａを有する。従って、光学素子１００を出射する光は拡散される。具体的には光が広がる。その結果、照明器具１の照明領域に照度ムラが発生することを抑制できる。
【０１３１】
以上、図面を参照しながら本発明の実施形態（変形例を含む。）について説明した。但し、本発明は、上記の実施形態に限られるものではなく、その要旨を逸脱しない範囲で種々の態様において実施することが可能である（例えば、下記に示す（１）〜（１１））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１３２】
（１）図２を参照して説明した本実施形態では、光源５が天井Ｃに対して略平行に設置された。ただし、光源５が天井Ｃに対して傾斜して設置されてもよい。この場合、光源５が壁Ｗａの側を向くように、光源５を天井Ｃに対して傾斜させることが好ましい。その結果、壁Ｗａに向かって更に効果的に光を出射できる。
【０１３３】
（２）図２を参照して説明した本実施形態において、第２反射部１７を設けずに、第１反射部１５を設けてもよい。第１反射部１５を設けずに、第２反射部１７を設け、第２反射部１７の内部に内部反射部２１を設置してもよい。光学素子２５を設けずに、第１反射部１５及び第２反射部１７のうちのいずれか一方を設けてもよい。対称反射部１７ａ及び非対称反射部１７ｂのうちのいずれか一方を設けてもよい。
【０１３４】
（３）図２を参照して説明したように、本実施形態では、光源５は、第２反射部１７の外部に位置していた。ただし、光源５は、第２反射部１７の内部に位置していてもよい。
【０１３５】
（４）図１１（ａ）及び図１１（ｂ）を参照して説明したように、本実施形態において、拡散部６２は、屈折部６１から離れるように凸状に湾曲する拡散要素６２ａを有した。ただし、拡散部６２は、拡散部６２に入射する光を拡散する限り、拡散部６２は、拡散要素６２ａを含まず、平坦面であってもよい。例えば、拡散部６２は、光拡散材料を混ぜた樹脂を略円板状に成形することによって形成されてもよいし、乳白色のような色彩を有していてもよい。
【０１３６】
（５）図１４（ａ）及び図１４（ｂ）を参照して説明したように、第４変形例において、拡散部９２は、形状の異なる第１拡散要素９２ａ１及び第２拡散要素９２ａ２を含んだ。ただし、第１拡散領域Ａ９１から出射する光が第２拡散領域Ａ９２から出射する光よりも広範囲に拡散する限り、拡散部９２は、複数の拡散要素９２ａを含まず、平坦面であってもよい。つまり、第１拡散要素９２ａ１の性状が第２拡散要素９２ａ２の性状と異なっていればよい。第１拡散要素９２ａ１の性状とは、第１拡散要素９２ａ１による光の拡散の程度を表す光学的性質を示す。第２拡散要素９２ａ２の性状とは、第２拡散要素９２ａ２による光の拡散の程度を表す光学的性質を示す。
【０１３７】
例えば、拡散部９２は、光を拡散する光拡散材料を混ぜた樹脂で形成される。このとき、第１拡散領域Ａ９１に含有される光拡散材料の密度は、第２拡散領域Ａ９２に含有される光拡散材料の密度よりも大きい。また、例えば、拡散部９２は、乳白色のような色彩を有する。従って、第１拡散領域Ａ９１を通過した光は、第２拡散領域Ａ９２を通過した光よりも広範囲に拡散する。その割合を適切に設定することにより、照明器具１の照明領域に照度ムラが発生することを抑制できる。
【０１３８】
（６）図１０（ａ）及び図１０（ｂ）を参照して説明したように、本実施形態において、屈折部５１は複数の屈折要素５１ａを含んだが、屈折部５１が屈折部５１に入射した光を屈折させる限り、屈折部５１は、単数の屈折要素５１ａを含んでもよい。また、第１変形例において、拡散部６２は、複数の拡散要素６２ａを含んだが、拡散部６２が拡散部６２に入射した光を拡散させる限り、拡散部６２は、単数の拡散要素６２ａを含んでもよい。屈折要素６１ａ及び／又は拡散要素６２ａが単数である場合、簡素な構造で屈折要素６１ａ及び／又は拡散要素６２ａを形成できる。屈折要素６１ａ及び／又は拡散要素６２ａが複数である場合、光学素子２５の厚みを薄くできる。
【０１３９】
（７）図１５（ａ）及び図１５（ｂ）を参照して説明したように、第５変形例において、光学素子１００の拡散部１０２は、単数の拡散要素１０２ａを含んだが、拡散部１０２が光を拡散させる限り、光学素子１００の拡散部１０２は、各々が屈折部１０１に向かって凹状に湾曲する複数の拡散要素１０２ａを含んでもよい。この場合、拡散部１０２は、略鋸歯状の断面を有する凹型のフレネルレンズとして機能する。従って、拡散要素１０２ａが単数である場合よりも、光学素子１００の厚みを薄くできる。
【０１４０】
（８）図１２（ａ）及び図１２（ｂ）を参照して説明したように、第２変形例において、屈折部７１は、２つの屈折領域Ａ７を有したが、屈折部７１が屈折部７１に入射した光を屈折させる限り、屈折部７１は、３つ以上の複数の屈折領域Ａ７を有してもよい。また、第３変形例において、屈折部８１は、２つの屈折領域Ａ８を有したが、屈折部８１が屈折部８１に入射した光を屈折させる限り、屈折部８１は、３つ以上の複数の屈折領域Ａ８を有してもよい。さらに、第４変形例において、拡散部９２は、２つの拡散領域Ａ９を有したが、拡散部９２が拡散部９２に入射した光を拡散させる限り、拡散部９２は、３つ以上の複数の拡散領域Ａ９を有してもよい。
【０１４１】
（９）図２を参照して説明したように、本実施形態において、光学素子２５は、光軸ＬＡに対して傾斜していた。ただし、光学素子２５は、光軸ＬＡに対して直交していてもよい。
【０１４２】
（１０）図１１（ａ）及び図１１（ｂ）を参照して説明したように、第１変形例において、拡散部６２は、拡散要素６２ａを含んだ。ただし、拡散部６２のうちの少なくとも一部の領域に入射した光が拡散する限り、拡散部６２は、拡散要素６２ａが位置しない領域を有していてもよい。また、光学素子６０は、複数の屈折領域Ａ７と、複数の拡散領域Ａ９とを有してもよい。また、光学素子６０は、複数の屈折領域Ａ８と、複数の拡散領域Ａ９とを有してもよい。
【０１４３】
（１１）図１１（ａ）及び図１１（ｂ）を参照して説明したように、第１変形例において、拡散部６２の複数の拡散要素６２ａの各々は、屈折部６１から離れるように凸状に湾曲した。ただし、拡散部６２が凹凸形状を有する限り、拡散部６２は、複数の拡散要素６２ａを含まず、光を拡散させるための粗面加工を施されていてもよい。また、拡散部６２は、光を拡散させるためのシボ加工を施されていてもよい。
【産業上の利用可能性】
【０１４４】
本発明は、照明器具に関するものであり、産業上の利用可能性を有する。
【符号の説明】
【０１４５】
１    照明器具
５    光源
７    反射部
１５、１５Ａ    第１反射部
１７    第２反射部
２１    内部反射部
２５、６０、７０、８０、９０、１００    光学素子
２７    第１出射開口部
２７ａ    開口
２７ｂ    開口縁
２８    内面
３０ａ    第１領域
３０ｂ    第２領域
３１    第２入射開口部
４３    第２出射開口部
【図１】
2018170096.tif 000003
【図２】
2018170096.tif 000004
【図３】
2018170096.tif 000005
【図４】
2018170096.tif 000006
【図５】
2018170096.tif 000007
【図６】
2018170096.tif 000008
【図７】
2018170096.tif 000009
【図８】
2018170096.tif 000010
【図９】
2018170096.tif 000011
【図１０】
2018170096.tif 000012
【図１１】
2018170096.tif 000013
【図１２】
2018170096.tif 000014
【図１３】
2018170096.tif 000015
【図１４】
2018170096.tif 000016
【図１５】
2018170096.tif 000017